(57)【特許請求の範囲】
【請求項１】
差動機構の回転要素に動力伝達可能に連結された第１電動機の運転状態が制御されることにより、エンジンに連結された入力軸の回転速度と出力軸の回転速度との差動状態が制御される電気式差動部と、該電気式差動部と駆動輪との間の動力伝達経路の一部を構成する係合装置とを、備える車両用動力伝達装置の制御装置であって、
前記差動機構の差動状態を制限するロック機構を備え、
前記係合装置が非係合状態でエンジン停止制御が実行されるとき、前記ロック機構を作動させるエンジン停止制御手段を有し、
前記エンジン停止制御手段は、前記差動機構の回転要素に動力伝達可能に連結された第１電動機にエンジン回転速度を低下させる方向の駆動トルクを作用させる制御を含むものであり、
前記差動機構は、遊星歯車装置から成り、該遊星歯車装置のサンギヤは前記第１電動機に連結され、キャリヤは前記エンジンに連結され、リングギヤは前記出力軸に連結され、
前記エンジン停止制御手段は、前記遊星歯車装置のリングギヤの回転速度が所定値以上であれば前記ロック機構を作動させることを特徴とする車両用動力伝達装置の制御装置。
【請求項２】
前記動力伝達経路には、変速部が備えられており、前記係合装置は該変速部の一部であることを特徴とする請求項１の車両用動力伝達装置の制御装置。
【請求項３】
前記エンジン停止制御手段は、更に前記エンジンと前記遊星歯車装置のリングギヤとの回転速度差が所定範囲内であれば前記ロック機構を作動させることを特徴とする請求項１または２の車両用動力伝達装置の制御装置。
【請求項４】
前記ロック機構は、前記第１電動機に連結された前記サンギヤの回転を固定もしくは滑り状態とすることを特徴とする請求項１乃至３のいずれか１つの車両用動力伝達装置の制御装置。
【請求項５】
前記ロック機構は、前記遊星歯車装置の少なくとも２つの回転要素を直結もしくは滑り状態とすることを特徴とする請求項１乃至３のいずれか１つの車両用動力伝達装置の制御装置。
【請求項６】
前記変速部は自動変速することを特徴とする請求項２乃至５のいずれか１つのの車両用動力伝達装置の制御装置。
【請求項７】
前記変速部は有段変速機であることを特徴とする請求項２乃至６のいずれか１つの車両用動力伝達装置の制御装置。
【請求項８】
前記電気式差動部は、２つ以上の電動機と遊星歯車装置により構成されることを特徴とする請求項１乃至７のいずれか１つの車両用動力伝達装置の制御装置。
【請求項９】
前記電気式差動部は、前記第１電動機の運転状態が制御されることにより、無段変速機構として作動することを特徴とする請求項１乃至８のいずれか１つの車両用動力伝達装置の制御装置。
【発明の詳細な説明】
【技術分野】
【０００１】
本発明は、車両用動力伝達装置の制御装置に係り、差動機構の差動状態が電気的に制御される電気式差動部と動力伝達経路の一部を構成する係合装置とを備える車両用動力伝達装置において、特に、ニュートラル状態時のエンジン停止制御に関するものである。
【背景技術】
【０００２】
差動機構の回転要素に動力伝達可能に連結された第１電動機の運転状態が制御されることにより、入力軸の回転速度と出力軸の回転速度との差動状態が制御される電気式差動部と、該電気式差動部と駆動輪との間の動力伝達経路の一部を構成する係合装置とを、備える車両用動力伝達装置が知られている。例えば、特許文献１に記載された車両用動力伝達装置がそれである。このようなハイブリッド形式の車両用動力伝達装置では差動機構が例えば遊星歯車装置で構成され、その差動機構の回転要素に第１電動機が動力伝達可能に連結されている。特許文献１の車両用動力伝達装置においては、エンジン停止時は電気式差動部に設けられて差動状態を制限するロック機構（切換クラッチＣ０および切換ブレーキＢ０）を解放状態をすると共に、第１電動機を用いてエンジン回転を速やかに低下させることで、動力伝達系の共振が発生するエンジン回転速度領域を速やかに通過させている。
【０００３】
【特許文献１】特開２００６−４６５４１号公報
【発明の開示】
【発明が解決しようとする課題】
【０００４】
ところが、特許文献１の車両用動力伝達装置では、変速部がニュートラル状態（動力伝達遮断状態）であるときにエンジン停止制御が実行されると、変速部に連結される差動機構の回転要素（特許文献１においてリングギヤに相当）が駆動輪と連結されていないために慣性力（イナーシャ）が弱くなり、この状態で第１電動機に負の方向（逆転方向）のトルク（負トルク）を作用させると、その勢いで前記変速部に連結される回転要素（リングギヤ）の回転速度が差動作用により高回転化され、差動機構を支持する軸受やシール部品等の耐久性が低下する可能性があった。
【０００５】
本発明は、以上の事情を背景として為されたものであり、その目的とするところは、電気式差動部と係合装置を備える車両用動力伝達装置において、エンジン停止制御時の差動機構の回転要素の高回転化を防止する車両用動力伝達装置の制御装置を提供することにある。
【課題を解決するための手段】
【０００６】
上記目的を達成するための、請求項１にかかる発明の要旨とするところは、（ａ）差動機構の回転要素に動力伝達可能に連結された第１電動機の運転状態が制御されることにより、エンジンに連結された入力軸の回転速度と出力軸の回転速度との差動状態が制御される電気式差動部と、その電気式差動部と駆動輪との間の動力伝達経路の一部を構成する係合装置とを、備える車両用動力伝達装置の制御装置であって、（ｂ）前記差動機構の差動状態を制限するロック機構を備え、（ｃ）前記係合装置が非係合状態でエンジン停止制御が実行されるとき、前記ロック機構を作動させるエンジン停止制御手段を有し、（ｄ）前記エンジン停止制御手段は、前記差動機構の回転要素に動力伝達可能に連結された第１電動機にエンジン回転速度を低下させる方向の駆動トルクを作用させる制御を含むものであり、（ｅ）前記差動機構は、遊星歯車装置から成り、該遊星歯車装置のサンギヤは前記第１電動機に連結され、キャリヤは前記エンジンに連結され、リングギヤは前記出力軸に連結され、（ｆ）前記エンジン停止制御手段は、前記遊星歯車装置のリングギヤの回転速度が所定値以上であれば前記ロック機構を作動させることを特徴とする。
【０００７】
また、請求項２にかかる発明の要旨とするところは、請求項１の車両用動力伝達装置の制御装置において、前記動力伝達経路には、変速部が備えられており、前記係合装置はその変速部の一部であることを特徴とする。
【０００９】
また、請求項３にかかる発明の要旨とするところは、請求項１または２の車両用動力伝達装置の制御装置において、前記エンジン停止制御手段は、更に前記エンジンと前記遊星歯車装置のリングギヤとの回転速度差が所定範囲内であれば前記ロック機構を作動させることを特徴とする。
【００１１】
また、請求項４にかかる発明の要旨とするところは、請求項１乃至３のいずれか１つの車両用動力伝達装置の制御装置において、前記ロック機構は、前記第１電動機に連結された前記サンギヤの回転を固定もしくは滑り状態とすることを特徴とする。
【００１２】
また、請求項５にかかる発明の要旨とするところは、請求項１乃至３のいずれか１つの車両用動力伝達装置の制御装置において、前記ロック機構は、前記遊星歯車装置の少なくとも２つの回転要素を直結もしくは滑り状態とすることを特徴とする。
【００１３】
また、請求項６にかかる発明の要旨とするところは、請求項２乃至５のいずれか１つの車両用動力伝達装置の制御装置において、前記変速部は自動変速することを特徴とする。
【００１４】
また、請求項７にかかる発明の要旨とするところは、請求項２乃至６のいずれか１つの車両用動力伝達装置の制御装置において、前記変速部は有段変速機であることを特徴とする。
【００１５】
また、請求項８にかかる発明の要旨とするところは、請求項１乃至７のいずれかの１つ車両用動力伝達装置の制御装置において、前記電気式差動部は、２つ以上の電動機と遊星歯車装置により構成されることを特徴とする。
【００１６】
また、請求項９にかかる発明の要旨とするところは、請求項１乃至８のいずれか１つの車両用動力伝達装置の制御装置において、前記電気式差動部は、前記第１電動機の運転状態が制御されることにより、無段変速機構として作動することを特徴とする。
【発明の効果】
【００１７】
請求項１にかかる発明の車両用動力伝達装置の制御装置によれば、前記係合装置がニュートラル状態でエンジン停止制御が実行されるとき、前記ロック機構を作動させると共に、前記遊星歯車装置のサンギヤに連結された第１電動機にエンジン回転速度を低下させる方向の駆動トルクを作用させるので、遊星歯車装置の各回転要素が一体回転または滑り状態で保持された状態で回転速度が低下させられる。このように一体回転または略一体回転させられることで、特にニュートラル状態では高回転化され易い係合装置に連結された回転要素の高回転化が防止される。このように高回転化が防止されるため、差動機構を支持する軸受やシール部品等の耐久性の低下が抑制される。ここで、ロック機構が作動されない状態で第１電動機をエンジン回転速度を低下させる方向に駆動させると、係合装置に連結されたリングギヤは係合装置が非係合状態となっているためにエンジンに連結されたキャリヤよりも慣性力（イナーシャ）が小さくなっているため、第１電動機の駆動トルクの勢いで差動機構の差動作用により係合装置に連結された回転要素の回転速度が上昇する。言い換えれば、エンジンの回転速度を低下させるための第１電動機の駆動トルクの一部が係合装置に連結されたリングギヤの回転速度を上昇させることに使われる。これに対して、ロック機構を作動させることで、差動機構の回転要素が一体回転化或いは略一体回転化されるため、第１電動機の全ての駆動トルクを、エンジンの回転速度を低下させることに作用させることができる。結果として、第１電動機によってエンジン回転速度が速やかに低下されると共に、係合装置に連結されたリングギヤの高回転化が防止される。また、前記エンジン停止制御手段は、遊星歯車装置のリングギヤの回転速度が所定値以上であればロック機構を作動させるため、前記リングギヤの回転速度が比較的低回転速度であれば、ロック機構は作動しない。このリングギヤが比較的低回転速度であれば、ロック機構を作動させなくとも、リングギヤの回転速度が上昇しても許容回転速度範囲内となる。これより、リングギヤの回転速度が所定値未満であれば本制御を実行しないことで、制御の負担を低減することができる。
【００１８】
また、請求項２にかかる発明の車両用動力伝達装置の制御装置によれば、前記動力伝達経路には、変速部が備えられており、前記係合装置はその変速部の一部であるため、係合装置が非係合状態となると変速部がニュートラル状態となり、駆動輪への動力伝達を遮断することができる。
【００２０】
また、請求項３にかかる発明の車両用動力伝達装置の制御装置によれば、前記エンジン停止制御手段は、更に前記エンジンと前記遊星歯車装置のリングギヤとの回転速度差が所定範囲内であれば前記ロック機構を作動させるため、回転速度差が大きい状態でロック機構が作動させられることが回避される。前記回転速度差が大きい状態でロック機構を作動させると、そのロック機構にかけられる負荷が大きくなるために、ロック機構の耐久性が低下する可能性がある。そこで、回転速度差が大きい状態ではロック機構を作動させないことで、ロック機構の耐久性低下を抑制することができる。
【００２２】
また、請求項４にかかる発明の車両用動力伝達装置の制御装置によれば、前記ロック機構は、前記第１電動機に連結されたサンギヤの回転を固定もしくは滑り状態とするため、前記第１電動機に連結されたサンギヤの回転速度およびエンジンに連結されたキャリヤの回転速度に基づいて、差動機構の差動作用により、所定の回転要素の高回転化を抑制することができる。
【００２３】
また、請求項５にかかる発明の車両用動力伝達装置の制御装置によれば、前記ロック機構は、前記遊星歯車装置の少なくとも２つの回転要素を直結もしくは滑り状態とするため、差動機構の各回転要素が一体的に回転させられ、所定の回転要素の高回転化を抑制することができる。
【００２４】
また、請求項６にかかる発明の車両用動力伝達装置の制御装置によれば、前記変速部は自動変速するため、車両の走行状態に応じて好適に自動変速され、好適な駆動力を得ることができる。
【００２５】
また、請求項７にかかる発明の車両用動力伝達装置の制御装置によれば、前記変速部は有段変速機であるため、変速比が段階的に変化され、車両の走行状態に応じて好適に変速される。
【００２６】
また、請求項８にかかる発明の車両用動力伝達装置の制御装置によれば、前記電気式差動部は、２つ以上の電動機と遊星歯車装置により構成されるため、電動機を制御することにより、遊星歯車装置の回転要素の回転速度を好適に制御することができる。
【００２７】
また、請求項９にかかる発明の車両用動力伝達装置の制御装置によれば、前記電気式差動部は、前記第１電動機の運転状態が制御されることにより、無段変速機構として作動するので、変速部の変速比と合わせて幅広い変速比を無段階的に得ることができる。
【発明を実施するための最良の形態】
【００２８】
以下、本発明の実施例を図面を参照しつつ詳細に説明する。
【実施例】
【００２９】
図１は、本発明の制御装置が適用されるハイブリッド車両用動力伝達装置の一部を構成する変速機構１０を説明する骨子図である。図１において、変速機構１０は車体に取り付けられる非回転部材としてのトランスミッションケース１２（以下、「ケース１２」という）内において共通の軸心上に配設された入力回転部材としての入力軸１４と、この入力軸１４に直接に或いは図示しない脈動吸収ダンパー（振動減衰装置）を介して直接に連結された差動部１１と、その差動部１１と駆動輪３８（図６参照）との間の動力伝達経路で伝達部材（差動機構の出力軸に相当）１８を介して直列に連結されている有段式の変速機として機能する変速部としての自動変速部２０と、この自動変速部２０に連結されている出力回転部材としての出力軸２２とを直列に備えている。この変速機構１０は、車両において縦置きされるＦＲ（フロントエンジン・リヤドライブ）型車両に好適に用いられるものであり、入力軸１４に直接に或いは図示しない脈動吸収ダンパーを介して直接的に連結された走行用の駆動力源として例えばガソリンエンジンやディーゼルエンジン等の内燃機関であるエンジン８と一対の駆動輪３８（図６参照）との間に設けられて、エンジン８からの動力を動力伝達経路の一部を構成する差動歯車装置（終減速機）３６および一対の車軸等を順次介して左右の駆動輪３８へ伝達する。
【００３０】
このように、本実施例の変速機構１０においてはエンジン８と差動部１１とは直結されている。この直結にはトルクコンバータやフルードカップリング等の流体式伝動装置を介することなく連結されているということであり、例えば上記脈動吸収ダンパーなどを介する連結はこの直結に含まれる。なお、変速機構１０はその軸心に対して対称的に構成されているため、図１の骨子図においてはその下側が省略されている。
【００３１】
第１電動機Ｍ１を利用して差動状態が変更されるという点で電気式差動部と言うことができる差動部１１は、第１電動機Ｍ１と、入力軸１４に入力されたエンジン８の出力を機械的に分配する機械的機構であってエンジン８の出力を第１電動機Ｍ１および伝達部材１８に分配する動力分配機構１６と、伝達部材１８と一体的に回転するように設けられている第２電動機Ｍ２とを備えている。なお、この第２電動機Ｍ２は伝達部材１８から駆動輪３８までの間の動力伝達経路を構成するいずれの部分に設けられてもよい。また、第１電動機Ｍ１および第２電動機Ｍ２は発電機能をも有する所謂モータジェネレータであるが、第１電動機Ｍ１は反力を発生させるためのジェネレータ（発電）機能を少なくとも備え、第２電動機Ｍ２は走行用の駆動力源として駆動力を出力するためのモータ（電動機）機能を少なくとも備える。
【００３２】
動力分配機構１６は、例えば「０．４１８」程度の所定のギヤ比ρ０を有するシングルピニオン型の差動部遊星歯車装置２４と、切換クラッチＣ０および切換ブレーキＢ０とを主体的に備えている。この差動部遊星歯車装置２４は、差動部サンギヤＳ０、差動部遊星歯車Ｐ０、その差動部遊星歯車Ｐ０を自転および公転可能に支持する差動部キャリヤＣＡ０、差動部遊星歯車Ｐ０を介して差動部サンギヤＳ０と噛み合う差動部リングギヤＲ０を回転要素（要素）として備えている。差動部サンギヤＳ０の歯数をＺＳ０、差動部リングギヤＲ０の歯数をＺＲ０とすると、上記ギヤ比ρ０はＺＳ０／ＺＲ０である。
【００３３】
この動力分配機構１６においては、差動部キャリヤＣＡ０は入力軸１４すなわちエンジン８に連結され、差動部サンギヤＳ０は第１電動機Ｍ１に連結され、差動部リングギヤＲ０は伝達部材１８に連結されている。また、切換ブレーキＢ０は差動部サンギヤＳ０とケース１２との間に設けられ、切換クラッチＣ０は差動部サンギヤＳ０と差動部キャリヤＣＡ０との間に設けられている。それら切換クラッチＣ０および切換ブレーキＢ０が解放されると、動力分配機構１６は差動部遊星歯車装置２４の３要素である差動部サンギヤＳ０、差動部キャリヤＣＡ０、差動部リングギヤＲ０がそれぞれ相互に相対回転可能とされて差動作用が作動可能なすなわち差動作用が働く差動状態とされることから、エンジン８の出力が第１電動機Ｍ１と伝達部材１８とに分配されるとともに、分配されたエンジン８の出力の一部で第１電動機Ｍ１から発生させられた電気エネルギで蓄電されたり第２電動機Ｍ２が回転駆動されるので、差動部１１（動力分配機構１６）は電気的な差動装置として機能させられて例えば差動部１１は所謂無段変速状態（電気的ＣＶＴ状態）とされて、エンジン８の所定回転に拘わらず伝達部材１８の回転が連続的に変化させられる。すなわち、動力分配機構１６が差動状態とされると差動部１１も差動状態とされ、差動部１１はその変速比γ０（入力軸１４の回転速度ＮＩＮ／伝達部材１８の回転速度Ｎ１８）が最小値γ０minから最大値γ０maxまで連続的に変化させられる電気的な無段変速機として機能する無段変速状態とされる。このように、差動部サンギヤＳ０に連結された第１電動機Ｍ１および差動部リングギヤＲ０に連結された第２電動機Ｍ２の運転状態が制御されることにより、入力軸１４の回転速度と出力軸として機能する伝達部材１８の回転速度との差動状態が制御される。なお、伝達部材１８の回転速度Ｎ１８は、第２電動機Ｍ２近傍に設けられているレゾルバ１９によって検出される。
【００３４】
この状態で、上記切換クラッチＣ０或いは切換ブレーキＢ０が係合させられると動力分配機構１６は前記差動作用をしないすなわち差動作用が不能な非差動状態とされる。具体的には、本発明のロック機構として機能する切換クラッチＣ０が係合させられて差動部サンギヤＳ０と差動部キャリヤＣＡ０とが一体的に係合させられると、動力分配機構１６は差動部遊星歯車装置２４の３要素である差動部サンギヤＳ０、差動部キャリヤＣＡ０、差動部リングギヤＲ０が共に回転すなわち一体回転させられるロック状態とされて前記差動作用が不能な非差動状態とされることから、差動部１１も非差動状態とされる。また、エンジン８の回転と伝達部材１８の回転速度とが一致する状態となるので、差動部１１（動力分配機構１６）は変速比γ０が「１」に固定された変速機として機能する定変速状態すなわち有段変速状態とされる。次いで、上記切換クラッチＣ０に替えて切換ブレーキＢ０が係合させられて差動部サンギヤＳ０がケース１２に連結させられると、動力分配機構１６は差動部サンギヤＳ０が非回転状態とさせられるロック状態とされて前記差動作用が不能な非差動状態とされることから、差動部１１も非差動状態とされる。また、差動部リングギヤＲ０は差動部キャリヤＣＡ０よりも増速回転されるので、動力分配機構１６は増速機構として機能するものであり、差動部１１（動力分配機構１６）は変速比γ０が「１」より小さい値例えば０．７程度に固定された増速変速機として機能する定変速状態すなわち有段変速状態とされる。
【００３５】
このように、本実施例では、上記切換クラッチＣ０および切換ブレーキＢ０は、差動部１１（動力分配機構１６）の変速状態を差動状態すなわち非ロック状態と非差動状態すなわちロック状態とに、すなわち差動部１１（動力分配機構１６）を電気的な差動装置として作動可能な差動状態例えば変速比が連続的変化可能な無段変速機として作動する電気的な無段変速作動可能な無段変速状態と、電気的な無段変速作動しない変速状態例えば無段変速機として作動させず無段変速作動を非作動として変速比変化を一定にロックするロック状態すなわち１または２種類以上の変速比の単段または複数段の変速機として作動する電気的な無段変速作動をしないすなわち電気的な無段変速作動不能な定変速状態（非差動状態）、換言すれば変速比が一定の１段または複数段の変速機として作動する定変速状態とに選択的に切換える差動状態切換装置として機能している。
【００３６】
変速部に対応する自動変速部２０は、差動部１１と駆動輪３８との間の動力伝達経路を構成し、シングルピニオン型の第１遊星歯車装置２６、シングルピニオン型の第２遊星歯車装置２８、およびシングルピニオン型の第３遊星歯車装置３０を備えている。第１遊星歯車装置２６は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、例えば「０．５６２」程度の所定のギヤ比ρ１を有している。第２遊星歯車装置２８は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、例えば「０．４２５」程度の所定のギヤ比ρ２を有している。第３遊星歯車装置３０は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、例えば「０．４２１」程度の所定のギヤ比ρ３を有している。第１サンギヤＳ１の歯数をＺＳ１、第１リングギヤＲ１の歯数をＺＲ１、第２サンギヤＳ２の歯数をＺＳ２、第２リングギヤＲ２の歯数をＺＲ２、第３サンギヤＳ３の歯数をＺＳ３、第３リングギヤＲ３の歯数をＺＲ３とすると、上記ギヤ比ρ１はＺＳ１／ＺＲ１、上記ギヤ比ρ２はＺＳ２／ＺＲ２、上記ギヤ比ρ３はＺＳ３／ＺＲ３である。
【００３７】
自動変速部２０では、第１サンギヤＳ１と第２サンギヤＳ２とが一体的に連結されて第２クラッチＣ２を介して伝達部材１８に選択的に連結されるとともに第１ブレーキＢ１を介してケース１２に選択的に連結され、第１キャリヤＣＡ１は第２ブレーキＢ２を介してケース１２に選択的に連結され、第３リングギヤＲ３は第３ブレーキＢ３を介してケース１２に選択的に連結され、第１リングギヤＲ１と第２キャリヤＣＡ２と第３キャリヤＣＡ３とが一体的に連結されて出力軸２２に連結され、第２リングギヤＲ２と第３サンギヤＳ３とが一体的に連結されて第１クラッチＣ１を介して伝達部材１８に選択的に連結されている。このように、自動変速部２０と伝達部材１８とは自動変速部２０の変速段を成立させるために用いられる第１クラッチＣ１または第２クラッチＣ２を介して選択的に連結されている。言い換えれば、第１クラッチＣ１および第２クラッチＣ２は、伝達部材１８と自動変速部２０との間すなわち差動部１１（伝達部材１８）と駆動輪３８との間の動力伝達経路を、その動力伝達経路の動力伝達を可能とする動力伝達可能状態と、その動力伝達経路の動力伝達を遮断する動力伝達遮断状態（ニュートラル状態）とに選択的に切り換える係合装置として機能している。つまり、第１クラッチＣ１および第２クラッチＣ２の少なくとも一方が係合されることで上記動力伝達経路が動力伝達可能状態とされ、或いは第１クラッチＣ１および第２クラッチＣ２が解放されることで上記動力伝達経路が動力伝達遮断状態（ニュートラル状態）とされる。
【００３８】
前記切換クラッチＣ０、第１クラッチＣ１、第２クラッチＣ２、切換ブレーキＢ０、第１ブレーキＢ１、第２ブレーキＢ２、および第３ブレーキＢ３は従来の車両用有段式自動変速機においてよく用いられている油圧式摩擦係合装置であって、互いに重ねられた複数枚の摩擦板が油圧アクチュエータにより押圧される湿式多板型や、回転するドラムの外周面に巻き付けられた１本または２本のバンドの一端が油圧アクチュエータによって引き締められるバンドブレーキなどにより構成され、それが介装されている両側の部材を選択的に連結するためのものである。なお、自動変速部２０の一部である第１クラッチＣ１、第２クラッチＣ２、第１ブレーキＢ１、第２ブレーキＢ２、および第３ブレーキＢ３が、本発明の係合装置に対応するものである。
【００３９】
以上のように構成された変速機構１０では、例えば、図２の係合作動表に示されるように、前記切換クラッチＣ０、第１クラッチＣ１、第２クラッチＣ２、切換ブレーキＢ０、第１ブレーキＢ１、第２ブレーキＢ２、および第３ブレーキＢ３が選択的に係合作動させられることにより、第１速ギヤ段（第１変速段）乃至第５速ギヤ段（第５変速段）のいずれか或いは後進ギヤ段（後進変速段）或いはニュートラルが選択的に成立させられ、略等比的に変化する変速比γ（＝入力軸回転速度ＮＩＮ／出力軸回転速度ＮＯＵＴ）が各ギヤ段毎に得られるようになっている。特に、本実施例では動力分配機構１６に切換クラッチＣ０および切換ブレーキＢ０が備えられており、切換クラッチＣ０および切換ブレーキＢ０の何れかが係合作動させられることによって、差動部１１は前述した無段変速機として作動する無段変速状態に加え、変速比が一定の変速機として作動する定変速状態を構成することが可能とされている。したがって、変速機構１０では、切換クラッチＣ０および切換ブレーキＢ０の何れかを係合作動させることで定変速状態とされた差動部１１と自動変速部２０とで有段変速機として作動する有段変速状態が構成され、切換クラッチＣ０および切換ブレーキＢ０の何れも係合作動させないことで無段変速状態とされた差動部１１と自動変速部２０とで電気的な無段変速機として作動する無段変速状態が構成される。言い換えれば、変速機構１０は、切換クラッチＣ０および切換ブレーキＢ０の何れかを係合作動させることで有段変速状態に切り換えられ、切換クラッチＣ０および切換ブレーキＢ０の何れも係合作動させないことで無段変速状態に切り換えられる。また、差動部１１も有段変速状態と無段変速状態とに切り換え可能な変速機であると言える。なお、出力軸回転速度ＮＯＵＴは、出力軸２２に設けられている回転速度センサ２３によって検出される。この回転速度センサ２３は、出力軸２２の回転速度ＮＯＵＴを検出するとともに出力軸２２の回転方向をも検出可能となっており、車両のニュートラル時における進行方向を検知する。
【００４０】
例えば、変速機構１０が有段変速機として機能する場合には、図２に示すように、切換クラッチＣ０、第１クラッチＣ１および第３ブレーキＢ３の係合により、変速比γ１が最大値例えば「３．３５７」程度である第１速ギヤ段が成立させられ、切換クラッチＣ０、第１クラッチＣ１および第２ブレーキＢ２の係合により、変速比γ２が第１速ギヤ段よりも小さい値例えば「２．１８０」程度である第２速ギヤ段が成立させられ、切換クラッチＣ０、第１クラッチＣ１および第１ブレーキＢ１の係合により、変速比γ３が第２速ギヤ段よりも小さい値例えば「１．４２４」程度である第３速ギヤ段が成立させられ、切換クラッチＣ０、第１クラッチＣ１および第２クラッチＣ２の係合により、変速比γ４が第３速ギヤ段よりも小さい値例えば「１．０００」程度である第４速ギヤ段が成立させられ、第１クラッチＣ１、第２クラッチＣ２、および切換ブレーキＢ０の係合により、変速比γ５が第４速ギヤ段よりも小さい値例えば「０．７０５」程度である第５速ギヤ段が成立させられる。また、第２クラッチＣ２および第３ブレーキＢ３の係合により、変速比γＲが第１速ギヤ段と第２速ギヤ段との間の値例えば「３．２０９」程度である後進ギヤ段が成立させられる。なお、ニュートラル「Ｎ」状態とする場合には、例えば全てのクラッチ及びブレーキＣ０、Ｃ１、Ｃ２、Ｂ０、Ｂ１、Ｂ２、Ｂ３が解放される。
【００４１】
しかし、変速機構１０が無段変速機として機能する場合には、図２に示される係合表の切換クラッチＣ０および切換ブレーキＢ０が共に解放される。これにより、差動部１１が無段変速機として機能し、それに直列の自動変速部２０が有段変速機として機能することにより、自動変速部２０の第１速、第２速、第３速、第４速の各ギヤ段に対しその自動変速部２０に入力される回転速度すなわち伝達部材１８の回転速度が無段的に変化させられて各ギヤ段は無段的な変速比幅が得られる。したがって、その各ギヤ段の間が無段的に連続変化可能な変速比となって変速機構１０全体としてのトータル変速比（総合変速比）γＴが無段階に得られるようになる。
【００４２】
図３は、無段変速部或いは第１変速部として機能する差動部１１と有段変速部或いは第２変速部として機能する自動変速部２０とから構成される変速機構１０において、ギヤ段毎に連結状態が異なる各回転要素の回転速度の相対関係を直線上で表すことができる共線図を示している。この図３の共線図は、各遊星歯車装置２４、２６、２８、３０のギヤ比ρの関係を示す横軸と、相対的回転速度を示す縦軸とから成る二次元座標であり、３本の横線のうちの下側の横線Ｘ１が回転速度零を示し、上側の横線Ｘ２が回転速度「１．０」すなわち入力軸１４に連結されたエンジン８の回転速度ＮＥを示し、横線ＸＧが伝達部材１８の回転速度を示している。
【００４３】
また、差動部１１を構成する動力分配機構１６の３つの要素に対応する３本の縦線Ｙ１、Ｙ２、Ｙ３は、左側から順に第２回転要素（第２要素）ＲＥ２に対応する差動部サンギヤＳ０、第１回転要素（第１要素）ＲＥ１に対応する差動部キャリヤＣＡ０、第３回転要素（第３要素）ＲＥ３に対応する差動部リングギヤＲ０の相対回転速度を示すものであり、それらの間隔は差動部遊星歯車装置２４のギヤ比ρ０に応じて定められている。さらに、自動変速部２０の５本の縦線Ｙ４、Ｙ５、Ｙ６、Ｙ７、Ｙ８は、左から順に、第４回転要素（第４要素）ＲＥ４に対応し且つ相互に連結された第１サンギヤＳ１および第２サンギヤＳ２を、第５回転要素（第５要素）ＲＥ５に対応する第１キャリヤＣＡ１を、第６回転要素（第６要素）ＲＥ６に対応する第３リングギヤＲ３を、第７回転要素（第７要素）ＲＥ７に対応し且つ相互に連結された第１リングギヤＲ１、第２キャリヤＣＡ２、第３キャリヤＣＡ３を、第８回転要素（第８要素）ＲＥ８に対応し且つ相互に連結された第２リングギヤＲ２、第３サンギヤＳ３をそれぞれ表し、それらの間隔は第１、第２、第３遊星歯車装置２６、２８、３０のギヤ比ρ１、ρ２、ρ３に応じてそれぞれ定められている。共線図の縦軸間の関係においてサンギヤとキャリヤとの間が「１」に対応する間隔とされるとキャリヤとリングギヤとの間が遊星歯車装置のギヤ比ρに対応する間隔とされる。すなわち、差動部１１では縦線Ｙ１とＹ２との縦線間が「１」に対応する間隔に設定され、縦線Ｙ２とＹ３との間隔はギヤ比ρ０に対応する間隔に設定される。また、自動変速部２０では各第１、第２、第３遊星歯車装置２６、２８、３０毎にそのサンギヤとキャリヤとの間が「１」に対応する間隔に設定され、キャリヤとリングギヤとの間がρに対応する間隔に設定される。
【００４４】
上記図３の共線図を用いて表現すれば、本実施例の変速機構１０は、動力分配機構１６（差動部１１）において、差動部遊星歯車装置２４の第１回転要素ＲＥ１（差動部キャリヤＣＡ０）が入力軸１４すなわちエンジン８に連結されるとともに切換クラッチＣ０を介して第２回転要素（差動部サンギヤＳ０）ＲＥ２と選択的に連結され、第２回転要素ＲＥ２が第１電動機Ｍ１に連結されるとともに切換ブレーキＢ０を介してケース１２に選択的に連結され、第３回転要素（差動部リングギヤＲ０）ＲＥ３が伝達部材１８および第２電動機Ｍ２に連結されて、入力軸１４の回転を伝達部材１８を介して自動変速部（有段変速部）２０へ伝達する（入力させる）ように構成されている。このとき、Ｙ２とＸ２の交点を通る斜めの直線Ｌ０により差動部サンギヤＳ０の回転速度と差動部リングギヤＲ０の回転速度との関係が示される。
【００４５】
例えば、上記切換クラッチＣ０および切換ブレーキＢ０の解放により無段変速状態（差動状態）に切換えられたときは、第１電動機Ｍ１の回転速度を制御することによって直線Ｌ０と縦線Ｙ１との交点で示される差動部サンギヤＳ０の回転が上昇或いは下降させられると、車速Ｖに拘束される差動部リングギヤＲ０の回転速度が略一定である場合には、直線Ｌ０と縦線Ｙ２との交点で示される差動部キャリヤＣＡ０の回転速度が上昇或いは下降させられる。また、切換クラッチＣ０の係合により差動部サンギヤＳ０と差動部キャリヤＣＡ０とが連結されると、動力分配機構１６は上記３回転要素が一体回転する非差動状態とされるので、直線Ｌ０は横線Ｘ２と一致させられ、エンジン回転速度ＮＥと同じ回転で伝達部材１８が回転させられる。或いは、切換ブレーキＢ０の係合によって差動部サンギヤＳ０の回転が停止させられると動力分配機構１６は増速機構として機能する非差動状態とされるので、直線Ｌ０は図３に示す状態となり、その直線Ｌ０と縦線Ｙ３との交点で示される差動部リングギヤＲ０すなわち伝達部材１８の回転速度は、エンジン回転速度ＮＥよりも増速された回転で自動変速部２０へ入力される。
【００４６】
また、自動変速部２０において第４回転要素ＲＥ４は第２クラッチＣ２を介して伝達部材１８に選択的に連結されるとともに第１ブレーキＢ１を介してケース１２に選択的に連結され、第５回転要素ＲＥ５は第２ブレーキＢ２を介してケース１２に選択的に連結され、第６回転要素ＲＥ６は第３ブレーキＢ３を介してケース１２に選択的に連結され、第７回転要素ＲＥ７は出力軸２２に連結され、第８回転要素ＲＥ８は第１クラッチＣ１を介して伝達部材１８に選択的に連結されている。
【００４７】
自動変速部２０では、図３に示すように、第１クラッチＣ１と第３ブレーキＢ３とが係合させられることにより、第８回転要素ＲＥ８の回転速度を示す縦線Ｙ８と横線Ｘ２との交点と第６回転要素ＲＥ６の回転速度を示す縦線Ｙ６と横線Ｘ１との交点とを通る斜めの直線Ｌ１と、出力軸２２と連結された第７回転要素ＲＥ７の回転速度を示す縦線Ｙ７との交点で第１速の出力軸２２の回転速度が示される。同様に、第１クラッチＣ１と第２ブレーキＢ２とが係合させられることにより決まる斜めの直線Ｌ２と出力軸２２と連結された第７回転要素ＲＥ７の回転速度を示す縦線Ｙ７との交点で第２速の出力軸２２の回転速度が示され、第１クラッチＣ１と第１ブレーキＢ１とが係合させられることにより決まる斜めの直線Ｌ３と出力軸２２と連結された第７回転要素ＲＥ７の回転速度を示す縦線Ｙ７との交点で第３速の出力軸２２の回転速度が示され、第１クラッチＣ１と第２クラッチＣ２とが係合させられることにより決まる水平な直線Ｌ４と出力軸２２と連結された第７回転要素ＲＥ７の回転速度を示す縦線Ｙ７との交点で第４速の出力軸２２の回転速度が示される。上記第１速乃至第４速では、切換クラッチＣ０が係合させられている結果、エンジン回転速度ＮＥと同じ回転速度で第８回転要素ＲＥ８に差動部１１すなわち動力分配機構１６からの動力が入力される。しかし、切換クラッチＣ０に替えて切換ブレーキＢ０が係合させられると、差動部１１からの動力がエンジン回転速度ＮＥよりも高い回転速度で入力されることから、第１クラッチＣ１、第２クラッチＣ２、および切換ブレーキＢ０が係合させられることにより決まる水平な直線Ｌ５と出力軸２２と連結された第７回転要素ＲＥ７の回転速度を示す縦線Ｙ７との交点で第５速の出力軸２２の回転速度が示される。
【００４８】
図４は、本発明に係るハイブリッド車両用駆動装置の一部を構成する変速機構１０を制御するための制御装置である電子制御装置４０に入力される信号及びその電子制御装置４０から出力される信号を例示している。この電子制御装置４０は、ＣＰＵ、ＲＯＭ、ＲＡＭ、及び入出力インターフェースなどから成る所謂マイクロコンピュータを含んで構成されており、ＲＡＭの一時記憶機能を利用しつつＲＯＭに予め記憶されたプログラムに従って信号処理を行うことによりエンジン８、第１電動機Ｍ１、第２電動機Ｍ２に関するハイブリッド駆動制御、自動変速部２０の変速制御等の駆動制御を実行するものである。
【００４９】
電子制御装置４０には、図４に示す各センサやスイッチなどから、エンジン水温ＴＥＭＰＷを示す信号、シフトポジションＰＳＨを表す信号、第１電動機Ｍ１の回転速度ＮＭ１を表す信号、第２電動機Ｍ２の回転速度ＮＭ２を表す信号、エンジン８の回転速度であるエンジン回転速度ＮＥを表す信号、ギヤ比列設定値を示す信号、Ｍモード（手動変速走行モード）を指令する信号、エアコンの作動を示すエアコン信号、出力軸２２の回転速度ＮＯＵＴに対応する車速Ｖを表す信号、自動変速部２０の作動油温を示す油温信号、サイドブレーキ操作を示す信号、フットブレーキ操作を示す信号、触媒温度を示す触媒温度信号、運転者の出力要求量に対応するアクセルペダルの操作量Ａccを示すアクセル開度信号、カム角信号、スノーモード設定を示すスノーモード設定信号、車両の前後加速度を示す加速度信号、オートクルーズ走行を示すオートクルーズ信号、車両の重量を示す車重信号、各車輪の車輪速を示す車輪速信号、エンジン８の空燃比Ａ／Ｆを示す信号、スロットル弁開度θＴＨを示す信号などが、それぞれ供給される。
【００５０】
また、上記電子制御装置４０からは、エンジン出力を制御するエンジン出力制御装置４３（図６参照）への制御信号例えばエンジン８の吸気管９５に備えられた電子スロットル弁９６の開度θＴＨを操作するスロットルアクチュエータ９７への駆動信号や燃料噴射装置９８によるエンジン８の各気筒内への燃料供給量を制御する燃料供給量信号や点火装置９９によるエンジン８の点火時期を指令する点火信号、過給圧を調整するための過給圧調整信号、電動エアコンを作動させるための電動エアコン駆動信号、電動機Ｍ１およびＭ２の作動を指令する指令信号、シフトインジケータを作動させるためのシフトポジション（操作位置）表示信号、ギヤ比を表示させるためのギヤ比表示信号、スノーモードであることを表示させるためのスノーモード表示信号、制動時の車輪のスリップを防止するＡＢＳアクチュエータを作動させるためのＡＢＳ作動信号、Ｍモードが選択されていることを表示させるＭモード表示信号、差動部１１や自動変速部２０の油圧式摩擦係合装置の油圧アクチュエータを制御するために油圧制御回路４２（図６参照）に含まれる電磁弁を作動させるバルブ指令信号、この油圧制御回路４２の油圧源である電動油圧ポンプを作動させるための駆動指令信号、電動ヒータを駆動するための信号、クルーズコントロール制御用コンピュータへの信号等が、それぞれ出力される。
【００５１】
図５は複数種類のシフトポジションＰＳＨを人為的操作により切り換える切換装置としてのシフト操作装置４８の一例を示す図である。このシフト操作装置４８は、例えば運転席の横に配設され、複数種類のシフトポジションＰＳＨを選択するために操作されるシフトレバー４９を備えている。
【００５２】
そのシフトレバー４９は、変速機構１０内つまり自動変速部２０内の動力伝達経路が遮断されたニュートラル状態すなわち中立状態とし且つ自動変速部２０の出力軸２２をロックするための駐車ポジション「Ｐ（パーキング）」、後進走行のための後進走行ポジション「Ｒ（リバース）」、変速機構１０内の動力伝達経路が遮断された中立状態とするための中立ポジション「Ｎ（ニュートラル）」、変速機構１０の変速可能なトータル変速比γＴの変化範囲内で自動変速制御を実行させる前進自動変速走行ポジション「Ｄ（ドライブ）」、または手動変速走行モード（手動モード）を成立させて上記自動変速制御における高速側の変速段を制限する所謂変速レンジを設定するための前進手動変速走行ポジション「Ｍ（マニュアル）」へ手動操作されるように設けられている。
【００５３】
上記シフトレバー４９の各シフトポジションＰＳＨへの手動操作に連動して図２の係合作動表に示す後進ギヤ段「Ｒ」、ニュートラル「Ｎ」、前進ギヤ段「Ｄ」における各変速段等が成立するように、例えば油圧制御回路４２が電気的に切り換えられる。
【００５４】
上記「Ｐ」乃至「Ｍ」ポジションに示す各シフトポジションＰＳＨにおいて、「Ｐ」ポジションおよび「Ｎ」ポジションは、車両を走行させないときに選択される非走行ポジションであって、例えば図２の係合作動表に示されるように第１クラッチＣ１および第２クラッチＣ２のいずれもが解放されるような自動変速部２０内の動力伝達経路が遮断された車両を駆動不能とする第１クラッチＣ１および第２クラッチＣ２による動力伝達経路の動力伝達遮断状態へ切換えを選択するための非駆動ポジションである。また、「Ｒ」ポジション、「Ｄ」ポジションおよび「Ｍ」ポジションは、車両を走行させるときに選択される走行ポジションであって、例えば図２の係合作動表に示されるように第１クラッチＣ１および第２クラッチＣ２の少なくとも一方が係合されるような自動変速部２０内の動力伝達経路が連結された車両を駆動可能とする第１クラッチＣ１および／または第２クラッチＣ２による動力伝達経路の動力伝達可能状態への切換えを選択するための駆動ポジションでもある。
【００５５】
具体的には、シフトレバー４９が「Ｐ」ポジション或いは「Ｎ」ポジションから「Ｒ」ポジションへ手動操作されることで、第２クラッチＣ２が係合されて自動変速部２０内の動力伝達経路が動力伝達遮断状態（ニュートラル状態）から動力伝達可能状態とされ、シフトレバー４９が「Ｎ」ポジションから「Ｄ」ポジションへ手動操作されることで、少なくとも第１クラッチＣ１が係合されて自動変速部２０内の動力伝達経路が動力伝達遮断状態から動力伝達可能状態とされる。また、シフトレバー４９が「Ｒ」ポジションから「Ｐ」ポジション或いは「Ｎ」ポジションへ手動操作されることで、第２クラッチＣ２が解放されて自動変速部２０内の動力伝達経路が動力伝達可能状態から動力伝達遮断状態とされ、シフトレバー４９が「Ｄ」ポジションから「Ｎ」ポジションへ手動操作されることで、第１クラッチＣ１および第２クラッチＣ２が解放されて自動変速部２０内の動力伝達経路が動力伝達可能状態から動力伝達遮断状態とされる。
【００５６】
上記「Ｍ」ポジションは、例えば車両の前後方向において上記「Ｄ」ポジションと同じ位置において車両の幅方向に隣接して設けられており、シフトレバー４８が「Ｍ」ポジションへ操作されることにより、「Ｄ」レンジ乃至「Ｌ」レンジの何れかがシフトレバー４９の操作に応じて変更される。具体的には、この「Ｍ」ポジションには、車両の前後方向にアップシフト位置「＋」、およびダウンシフト位置「−」が設けられており、シフトレバー４９がそれ等のアップシフト位置「＋」またはダウンシフト位置「−」へ操作されると、「Ｄ」レンジ乃至「Ｌ」レンジの何れかへ切り換えられる。例えば、「Ｍ」ポジションにおける「Ｄ」レンジ乃至「Ｌ」レンジの５つの変速レンジは、変速機構１０の自動変速制御が可能なトータル変速比γＴの変化範囲における高速側（変速比が最小側）のトータル変速比γＴが異なる複数種類の変速レンジであり、また自動変速機２０の変速が可能な最高速側変速段が異なるように変速段（ギヤ段）の変速範囲を制限するものである。また、シフトレバー４９はスプリング等の付勢手段により上記アップシフト位置「＋」およびダウンシフト位置「−」から、「Ｍ」ポジションへ自動的に戻されるようになっている。また、シフト操作装置４８にはシフトレバー４９の各シフトポジションを検出するための図示しないシフトポジションセンサが備えられており、そのシフトレバー４９のシフトポジションや「Ｍ」ポジションにおける操作回数等を電子制御装置４０へ出力する。
【００５７】
「Ｍ」ポジションがシフトレバー４９の操作により選択された場合には、変速レンジの最高速側変速段或いは変速比を越えないように、変速機構１０の各変速レンジで変速可能なトータル変速比γＴの範囲で自動変速制御される。例えば、変速機構１０が有段変速状態に切り換えられる有段変速走行時には各変速レンジで変速機構１０が変速可能なトータル変速比γＴの範囲で自動変速制御され、或いは変速機構１０が無段変速状態に切り換えられる無段変速走行時には変速機構１０が動力分配機構１６の無段的な変速比幅と各変速レンジに応じた自動変速部２０の変速可能な変速段の範囲で自動変速制御される各ギヤ段とで得られる変速機構１０の各変速レンジで変速可能なトータル変速比γＴの範囲で自動変速制御される。この「Ｍ」ポジションは変速機構１０の手動変速制御が実行される制御様式である手動変速走行モード（手動モード）を選択するシフトポジションでもある。
【００５８】
図６は、電子制御装置４０による制御機能の要部を説明する機能ブロック線図である。図６において、有段変速制御手段５４は、自動変速部２０の変速を行う変速制御手段として機能するものである。例えば、有段変速制御手段５４は、記憶手段５６に予め記憶された図７の実線および一点鎖線に示す関係（変速線図、変速マップ）から車速Ｖおよび自動変速部２０の要求出力トルクＴＯＵＴで示される車両状態に基づいて、自動変速部２０の変速を実行すべきか否かを判断し、すなわち自動変速部２０の変速すべき変速段を判断し、その判断した変速段が得られるように自動変速部２０の変速を実行する。このとき、有段変速制御手段５４は、例えば図２に示す係合表に従って変速段が達成されるように切換クラッチＣ０および切換ブレーキＢ０を除いた油圧式摩擦係合装置を係合および／または解放させる指令（変速出力指令）を油圧制御回路４２へ出力する。
【００５９】
ハイブリッド制御手段５２は、変速機構１０の前記無段変速状態すなわち差動部１１の差動状態においてエンジン８を効率のよい作動域で作動させる一方で、エンジン８と第２電動機Ｍ２との駆動力の配分や第１電動機Ｍ１の発電による反力を最適になるように変化させて差動部１１の電気的な無段変速機としての変速比γ０を制御する。例えば、そのときの走行車速において、運転者の出力要求量としてのアクセルペダル操作量Ａccや車速Ｖから車両の目標（要求）出力を算出し、車両の目標出力と充電要求値から必要なトータル目標出力を算出し、そのトータル目標出力が得られるように伝達損失、補機負荷、第２電動機Ｍ２のアシストトルク等を考慮して目標エンジン出力を算出し、その目標エンジン出力が得られるエンジン回転速度ＮＥとエンジントルクＴＥとなるようにエンジン８を制御するとともに第１電動機Ｍ１の発電量を制御する。
【００６０】
ハイブリッド制御手段５２は、その制御を動力性能や燃費向上などのために自動変速部２０の変速段を考慮して実行する。このようなハイブリッド制御では、エンジン８を効率のよい作動域で作動させるために定まるエンジン回転速度ＮＥと車速Ｖおよび自動変速部２０の変速段で定まる伝達部材１８の回転速度とを整合させるために、差動部１１が電気的な無段変速機として機能させられる。すなわち、ハイブリッド制御手段５２は例えばエンジン回転速度ＮＥとエンジン８の出力トルク（エンジントルク）ＴＥとをパラメータとする二次元座標内において無段変速走行の時に運転性と燃費性とを両立するように予め実験的に定められたエンジン８の最適燃費率曲線（燃費マップ、関係）を予め記憶しており、その最適燃費率曲線に沿ってエンジン８が作動させられるように、例えば目標出力（トータル目標出力、要求駆動力）を充足するために必要なエンジン出力を発生するためのエンジントルクＴＥとエンジン回転速度ＮＥとなるように変速機構１０のトータル変速比γＴの目標値を定め、その目標値が得られるように差動部１１の変速比γ０を制御し、トータル変速比γＴをその変速可能な変化範囲内例えば１３〜０．５の範囲内で制御する。
【００６１】
このとき、ハイブリッド制御手段５２は、第１電動機Ｍ１により発電された電気エネルギをインバータ５８を通して蓄電装置６０や第２電動機Ｍ２へ供給するので、エンジン８の動力の主要部は機械的に伝達部材１８へ伝達されるが、エンジン８の動力の一部は第１電動機Ｍ１の発電のために消費されてそこで電気エネルギに変換され、インバータ５８を通してその電気エネルギが第２電動機Ｍ２へ供給され、その第２電動機Ｍ２が駆動されて第２電動機Ｍ２から伝達部材１８へ伝達される。この電気エネルギの発生から第２電動機Ｍ２で消費されるまでに関連する機器により、エンジン８の動力の一部を電気エネルギに変換し、その電気エネルギを機械的エネルギに変換するまでの電気パスが構成される。
【００６２】
ハイブリッド制御手段５２は、スロットル制御のためにスロットルアクチュエータ９７により電子スロットル弁９６を開閉制御させる他、燃料噴射制御のために燃料噴射装置９８による燃料噴射量や噴射時期を制御させ、点火時期制御のためにイグナイタ等の点火装置９９による点火時期を制御させる指令を単独で或いは組み合わせてエンジン出力制御装置４３に出力して必要なエンジン出力を発生するようにエンジン８の出力制御を実行するエンジン出力制御手段を機能的に備えている。例えば、ハイブリッド制御手段５２は、基本的には図示しない予め記憶された関係からアクセル開度信号Ａccに基づいてスロットルアクチュエータ９７を駆動し、アクセル開度Ａccが増加するほどスロットル弁開度θＴＨを増加させるようにスロットル制御を実行する。
【００６３】
前記図７の実線Ａは、車両の発進／走行用（以下、走行用という）の駆動力源をエンジン８と電動機例えば第２電動機Ｍ２とで切り換えるための、言い換えればエンジン８を走行用の駆動力源として車両を発進／走行（以下、走行という）させる所謂エンジン走行と第２電動機Ｍ２を走行用の駆動力源として車両を走行させる所謂モータ走行とを切り換えるための、エンジン走行領域とモータ走行領域との境界線である。この図７に示すエンジン走行とモータ走行とを切り換えるための境界線（実線Ａ）を有する予め記憶された関係は、車速Ｖと駆動力関連値である出力トルクＴＯＵＴとをパラメータとする二次元座標で構成された駆動力源切換線図（駆動力源マップ）の一例である。この駆動力源切換線図は、例えば同じ図７中の実線および一点鎖線に示す変速線図（変速マップ）と共に記憶手段５６に予め記憶されている。
【００６４】
そして、ハイブリッド制御手段５２は、例えば図７の駆動力源切換線図から車速Ｖと要求出力トルクＴＯＵＴとで示される車両状態に基づいてモータ走行領域とエンジン走行領域との何れであるかを判断してモータ走行或いはエンジン走行を実行する。このように、ハイブリッド制御手段５２によるモータ走行は、図７から明らかなように一般的にエンジン効率が高トルク域に比較して悪いとされる比較的低出力トルクＴＯＵＴ時すなわち低エンジントルクＴＥ時、或いは車速Ｖの比較的低車速時すなわち低負荷域で実行される。
【００６５】
ハイブリッド制御手段５２は、このモータ走行時には、停止しているエンジン８の引き摺りを抑制して燃費を向上させるために、差動部１１の電気的ＣＶＴ機能（差動作用）によって、第１電動機の回転速度ＮＭ１を負の回転速度で制御例えば空転させて、差動部１１の差動作用によりエンジン回転速度ＮＥを零乃至略零に維持する。
【００６６】
また、ハイブリッド制御手段５２は、エンジン走行領域であっても、上述した電気パスによる第１電動機Ｍ１からの電気エネルギおよび／または蓄電装置６０からの電気エネルギを第２電動機Ｍ２へ供給し、その第２電動機Ｍ２を駆動してエンジン８の動力を補助するトルクアシストが可能である。よって、本実施例のエンジン走行には、エンジン走行＋モータ走行も含むものとする。
【００６７】
また、ハイブリッド制御手段５２は、車両の停止状態又は低車速状態に拘わらず、差動部１１の電気的ＣＶＴ機能によってエンジン８の運転状態を維持させることができる。例えば、車両停止時に蓄電装置６０の充電容量ＳＯＣが低下して第１電動機Ｍ１による発電が必要となった場合には、エンジン８の動力により第１電動機Ｍ１が発電させられてその第１電動機Ｍ１の回転速度が引き上げられ、車速Ｖで一意的に決められる第２電動機の回転速度ＮＭ２が車両停止状態により零（略零）となっても動力分配機構１６の差動作用によってエンジン回転速度ＮＥが自律回転可能な回転速度以上に維持される。
【００６８】
また、ハイブリッド制御手段５２は、車両の停止中又は走行中に拘わらず、差動部１１の電気的ＣＶＴ機能によって第１電動機Ｍ１の回転速度ＮＭ１および／または第２電動機Ｍ２の回転速度ＮＭ２を制御してエンジン回転速度ＮＥを任意の回転速度に維持させられる。例えば、図３の共線図からもわかるようにハイブリッド制御手段５２はエンジン回転速度ＮＥを引き上げる場合には、車速Ｖに拘束される第２電動機Ｍ２の回転速度ＮＭ２を略一定に維持しつつ第１電動機Ｍ１の回転速度ＮＭ１の引き上げを実行する。
【００６９】
増速側ギヤ段判定手段６２は、変速機構１０を有段変速状態とする際に切換クラッチＣ０および切換ブレーキＢ０のいずれを係合させるかを判定するために、例えば車両状態に基づいて記憶手段５６に予め記憶された前記図７に示す変速線図に従って変速機構１０の変速されるべき変速段が増速側ギヤ段例えば第５速ギヤ段であるか否かを判定する。
【００７０】
切換制御手段５０は、車両状態に基づいて前記差動状態切換装置（切換クラッチＣ０、切換ブレーキＢ０）の係合／解放を切り換えることにより、前記無段変速状態と前記有段変速状態とを、すなわち前記差動状態と前記ロック状態とを選択的に切り換える。例えば、切換制御手段５０は、記憶手段５６に予め記憶された前記図７の破線および二点鎖線に示す関係（切換線図、切換マップ）から車速Ｖおよび要求出力トルクＴＯＵＴで示される車両状態に基づいて、変速機構１０（差動部１１）の変速状態を切り換えるべきか否かを判断して、すなわち変速機構１０を無段変速状態とする無段制御領域内であるか或いは変速機構１０を有段変速状態とする有段制御領域内であるかを判定することにより変速機構１０の切り換えるべき変速状態を判断して、変速機構１０を前記無段変速状態と前記有段変速状態とのいずれかに選択的に切り換える変速状態の切換えを実行する。
【００７１】
具体的には、切換制御手段５０は有段変速制御領域内であると判定した場合は、ハイブリッド制御手段５２に対してハイブリッド制御或いは無段変速制御を不許可すなわち禁止とする信号を出力するとともに、有段変速制御手段５４に対しては、予め設定された有段変速時の変速を許可する。このときの有段変速制御手段５４は、記憶手段５６に予め記憶された例えば図７に示す変速線図に従って自動変速部２０の自動変速を実行する。例えば記憶手段５６に予め記憶された図２は、このときの変速において選択される油圧式摩擦係合装置すなわちＣ０、Ｃ１、Ｃ２、Ｂ０、Ｂ１、Ｂ２、Ｂ３の作動の組み合わせを示している。すなわち、変速機構１０全体すなわち差動部１１および自動変速部２０が所謂有段式自動変速機として機能し、図２に示す係合表に従って変速段が達成される。
【００７２】
例えば、増速側ギヤ段判定手段６２により第５速ギヤ段が判定される場合には、変速機構１０全体として変速比が１．０より小さな増速側ギヤ段所謂オーバードライブギヤ段が得られるために切換制御手段５０は差動部１１が固定の変速比γ０例えば変速比γ０が０．７の副変速機として機能させられるように切換クラッチＣ０を解放させ且つ切換ブレーキＢ０を係合させる指令を油圧制御回路４２へ出力する。また、増速側ギヤ段判定手段６２により第５速ギヤ段でないと判定される場合には、変速機構１０全体として変速比が１．０以上の減速側ギヤ段が得られるために切換制御手段５０は差動部１１が固定の変速比γ０例えば変速比γ０が１の副変速機として機能させられるように切換クラッチＣ０を係合させ且つ切換ブレーキＢ０を解放させる指令を油圧制御回路４２へ出力する。このように、切換制御手段５０によって変速機構１０が有段変速状態に切り換えられるとともに、その有段変速状態における２種類の変速段のいずれかとなるように選択的に切り換えられて、差動部１１が副変速機として機能させられ、それに直列の自動変速部２０が有段変速機として機能することにより、変速機構１０全体が所謂有段式自動変速機として機能させられる。
【００７３】
しかし、切換制御手段５０は、変速機構１０を無段変速状態に切り換える無段変速制御領域内であると判定した場合は、変速機構１０全体として無段変速状態が得られるために差動部１１を無段変速状態として無段変速可能とするように切換クラッチＣ０および切換ブレーキＢ０を解放させる指令を油圧制御回路４２へ出力する。同時に、ハイブリッド制御手段５２に対してハイブリッド制御を許可する信号を出力するとともに、有段変速制御手段５４には、予め設定された無段変速時の変速段に固定する信号を出力するか、或いは記憶手段５６に予め記憶された例えば図７に示す変速線図に従って自動変速部２０を自動変速することを許可する信号を出力する。この場合、有段変速制御手段５４により、図２の係合表内において切換クラッチＣ０および切換ブレーキＢ０の係合を除いた作動により自動変速が行われる。このように、切換制御手段５０により無段変速状態に切り換えられた差動部１１が無段変速機として機能し、それに直列の自動変速部２０が有段変速機として機能することにより、適切な大きさの駆動力が得られると同時に、自動変速部２０の第１速、第２速、第３速、第４速の各ギヤ段に対しその自動変速部２０に入力される回転速度すなわち伝達部材１８の回転速度が無段的に変化させられて各ギヤ段は無段的な変速比幅が得られる。したがって、その各ギヤ段の間が無段的に連続変化可能な変速比となって変速機構１０全体として無段変速状態となりトータル変速比γＴが無段階に得られるようになる。
【００７４】
ここで前記図７について詳述すると、図７は自動変速部２０の変速判断の基となる記憶手段５６に予め記憶された関係（変速線図、変速マップ）であり、車速Ｖと駆動力関連値である要求出力トルクＴＯＵＴとをパラメータとする二次元座標で構成された変速線図の一例である。図７の実線はアップシフト線であり一点鎖線はダウンシフト線である。
【００７５】
また、図７の破線は切換制御手段５０による有段制御領域と無段制御領域との判定のための判定車速Ｖ１および判定出力トルクＴ１を示している。つまり、図７の破線はハイブリッド車両の高速走行を判定するための予め設定された高速走行判定値である判定車速Ｖ１の連なりである高車速判定線と、ハイブリッド車両の駆動力に関連する駆動力関連値例えば自動変速部２０の出力トルクＴＯＵＴが高出力となる高出力走行を判定するための予め設定された高出力走行判定値である判定出力トルクＴ１の連なりである高出力走行判定線とを示している。さらに、図７の破線に対して二点鎖線に示すように有段制御領域と無段制御領域との判定にヒステリシスが設けられている。つまり、この図７は判定車速Ｖ１および判定出力トルクＴ１を含む、車速Ｖと出力トルクＴＯＵＴとをパラメータとして切換制御手段５０により有段制御領域と無段制御領域とのいずれであるかを領域判定するための予め記憶された切換線図（切換マップ、関係）である。なお、この切換線図を含めて変速マップとして記憶手段５６に予め記憶されてもよい。また、この切換線図は判定車速Ｖ１および判定出力トルクＴ１の少なくとも１つを含むものであってもよいし、車速Ｖおよび出力トルクＴＯＵＴの何れかをパラメータとする予め記憶された切換線であってもよい。
【００７６】
上記変速線図、切換線図、或いは駆動力源切換線図等は、マップとしてではなく実際の車速Ｖと判定車速Ｖ１とを比較する判定式、出力トルクＴＯＵＴと判定出力トルクＴ１とを比較する判定式等として記憶されてもよい。この場合には、切換制御手段５０は、車両状態例えば実際の車速が判定車速Ｖ１を越えたときに変速機構１０を有段変速状態とする。また、切換制御手段５０は、車両状態例えば自動変速部２０の出力トルクＴＯＵＴが判定出力トルクＴ１を越えたときに変速機構１０を有段変速状態とする。
【００７７】
また、差動部１１を電気的な無段変速機として作動させるための電動機等の電気系の制御機器の故障や機能低下時、例えば第１電動機Ｍ１における電気エネルギの発生からその電気エネルギが機械的エネルギに変換されるまでの電気パスに関連する機器の機能低下すなわち第１電動機Ｍ１、第２電動機Ｍ２、インバータ５８、蓄電装置６０、それらを接続する伝送路などの故障（フェイル）や、故障とか低温による機能低下が発生したような車両状態となる場合には、無段制御領域であっても車両走行を確保するために切換制御手段５０は変速機構１０を優先的に有段変速状態としてもよい。
【００７８】
前記駆動力関連値とは、車両の駆動力に１対１に対応するパラメータであって、駆動輪３８での駆動トルク或いは駆動力のみならず、例えば自動変速部２０の出力トルクＴＯＵＴ、エンジントルクＴＥ、車両加速度や、例えばアクセル開度或いはスロットル弁開度θＴＨ（或いは吸入空気量、空燃比、燃料噴射量）とエンジン回転速度ＮＥとに基づいて算出されるエンジントルクＴＥなどの実際値や、運転者のアクセルペダル操作量或いはスロットル開度等に基づいて算出される要求（目標）エンジントルクＴＥ、自動変速部２０の要求（目標）出力トルクＴＯＵＴ、要求駆動力等の推定値であってもよい。また、上記駆動トルクは出力トルクＴＯＵＴ等からデフ比、駆動輪３８の半径等を考慮して算出されてもよいし、例えばトルクセンサ等によって直接検出されてもよい。上記他の各トルク等も同様である。
【００７９】
また、例えば判定車速Ｖ１は、高速走行において変速機構１０が無段変速状態とされるとかえって燃費が悪化するのを抑制するように、その高速走行において変速機構１０が有段変速状態とされるように設定されている。また、判定トルクＴ１は、車両の高出力走行において第１電動機Ｍ１の反力トルクをエンジンの高出力域まで対応させないで第１電動機Ｍ１を小型化するために、例えば第１電動機Ｍ１からの電気エネルギの最大出力を小さくして配設可能とされた第１電動機Ｍ１の特性に応じて設定されている。
【００８０】
図８は、エンジン回転速度ＮＥとエンジントルクＴＥとをパラメータとして切換制御手段５０により有段制御領域と無段制御領域とのいずれであるかを領域判定するための境界線としてのエンジン出力線を有し、記憶手段５６に予め記憶された切換線図（切換マップ、関係）である。切換制御手段５０は、図７の切換線図に替えてこの図８の切換線図からエンジン回転速度ＮＥとエンジントルクＴＥとに基づいて、それらのエンジン回転速度ＮＥとエンジントルクＴＥとで表される車両状態が無段制御領域内であるか或いは有段制御領域内であるかを判定してもよい。また、この図８は図７の破線を作るための概念図でもある。言い換えれば、図７の破線は図８の関係図（マップ）に基づいて車速Ｖと出力トルクＴＯＵＴとをパラメータとする二次元座標上に置き直された切換線でもある。
【００８１】
図７の関係に示されるように、出力トルクＴＯＵＴが予め設定された判定出力トルクＴ１以上の高トルク領域、或いは車速Ｖが予め設定された判定車速Ｖ１以上の高車速領域が有段制御領域として設定されているので、有段変速走行がエンジン８の比較的高トルクとなる高駆動トルク時、或いは車速の比較的高車速時において実行され、無段変速走行がエンジン８の比較的低トルクとなる低駆動トルク時、或いは車速の比較的低車速時すなわちエンジン８の常用出力域において実行されるようになっている。
【００８２】
同様に、図８の関係に示されるように、エンジントルクＴＥが予め設定された所定値ＴＥ１以上の高トルク領域、エンジン回転速度ＮＥが予め設定された所定値ＮＥ１以上の高回転領域、或いはそれらエンジントルクＴＥおよびエンジン回転速度ＮＥから算出されるエンジン出力が所定以上の高出力領域が、有段制御領域として設定されているので、有段変速走行がエンジン８の比較的高トルク、比較的高回転速度、或いは比較的高出力時において実行され、無段変速走行がエンジン８の比較的低トルク、比較的低回転速度、或いは比較的低出力時すなわちエンジン８の常用出力域において実行されるようになっている。図８における有段制御領域と無段制御領域との間の境界線は、高車速判定値の連なりである高車速判定線および高出力走行判定値の連なりである高出力走行判定線に対応している。
【００８３】
これによって、例えば、車両の低中速走行および低中出力走行では、変速機構１０が無段変速状態とされて車両の燃費性能が確保されるが、実際の車速Ｖが前記判定車速Ｖ１を越えるような高速走行では変速機構１０が有段の変速機として作動する有段変速状態とされ専ら機械的な動力伝達経路でエンジン８の出力が駆動輪３８へ伝達されて電気的な無段変速機として作動させる場合に発生する動力と電気エネルギとの間の変換損失が抑制されて燃費が向上する。また、出力トルクＴＯＵＴなどの前記駆動力関連値が判定トルクＴ１を越えるような高出力走行では変速機構１０が有段の変速機として作動する有段変速状態とされ専ら機械的な動力伝達経路でエンジン８の出力が駆動輪３８へ伝達されて電気的な無段変速機として作動させる領域が車両の低中速走行および低中出力走行となって、第１電動機Ｍ１が発生すべき電気的エネルギ換言すれば第１電動機Ｍ１が伝える電気的エネルギの最大値を小さくできて第１電動機Ｍ１或いはそれを含む車両の駆動装置が一層小型化される。また、他の考え方として、この高出力走行においては燃費に対する要求より運転者の駆動力に対する要求が重視されるので、無段変速状態より有段変速状態（定変速状態）に切り換えられるのである。これによって、ユーザは、有段自動変速走行におけるアップシフトに伴うエンジン回転速度ＮＥの変化すなわち変速に伴うリズミカルなエンジン回転速度ＮＥの変化が楽しめる。
【００８４】
図６に戻り、シフトポジション判定手段１１０は、図示しないシフトポジションセンサからのシフトレバー４９のシフトポジションを表す信号ＰＳＨに基づいて現在のシフトレバー４９が非駆動ポジションである「Ｎ」ポジションまたは「Ｐ」ポジションにされているか、或いは、シフトレバー４９が「Ｎ」ポジションまたは「Ｐ」ポジションへ操作されたか否かを判定する。なお、シフトレバー４９が「Ｎ」ポジション或いは「Ｐ」ポジションに位置されると、自動変速部２０が動力伝達遮断状態（ニュートラル状態）となり、伝達部材１８と駆動輪３８との連結が遮断される。
【００８５】
エンジン停止条件成立判定手段１１２は、シフトポジション判定手段１１０によって自動変速部２０が動力伝達遮断状態（ニュートラル状態）であると判定されると、エンジン８への燃料供給を停止してエンジン８を作動停止させるための条件が成立したか否かを判定する。エンジン停止条件成立判定手段１１２は、例えば、車両を停止させてエンジン８を作動停止させるとき、暖機が完了したとき、或いはニュートラル状態での減速走行時にエンジン８を作動停止させるとき等の場合にエンジン８の作動停止条件が成立したと判定する。
【００８６】
エンジン停止制御手段１１４は、前記エンジン停止条件成立判定手段１１２によりエンジン８を作動停止するための条件が成立したと判定された場合には、燃料噴射装置９８によるエンジン８への燃料供給を停止する指令すなわちフューエルカットを実行する指令をエンジン出力制御装置４３に出力する。このようにエンジン８への燃料供給が停止されてエンジン停止状態とされると、エンジントルクＴＥが出力されず第１電動機Ｍ１は反力トルクを発生させられない空転状態となるので、エンジン回転速度ＮＥはエンジン回転停止状態すなわちエンジン回転速度ＮＥが零となるまで低下される。
【００８７】
また、エンジン８への燃料供給を停止するに伴い、エンジン回転速度ＮＥが低下されるが、そのエンジン回転速度低下中に車両動力伝達系の共振が発生するエンジン回転速度領域（例えば１００〜２００ｒｐｍ）があり、このエンジン回転速度領域を速やかに通過させることが望ましい。そこで、エンジン停止制御手段１１４は、その共振が発生するエンジン回転速度領域を速やかに通過させるため、第１電動機Ｍ１によってエンジン回転速度ＮＥを制御する。
【００８８】
具体的には、エンジン停止制御手段１１４は、エンジン回転速度ＮＥが動力伝達系の共振が発生する回転速度領域を速やかに通過するように、第１電動機Ｍ１を用いてエンジン回転速度を制御する、すなわち第１電動機Ｍ１を用いてエンジン回転速度ＮＥを強制的に低下させる指令をハイブリッド制御手段５２に出力する。ハイブリッド制御手段５２は、その指令に従って第１電動機Ｍ１にエンジン回転速度ＮＥを低下させる方向の駆動トルクを作用させる、すなわち第１電動機Ｍ１の回転速度ＮＭ１を引き下げることで、エンジン回転速度ＮＥを低下させる。例えば、ハイブリッド制御手段５２による第１電動機Ｍ１の回転速度ＮＭ１を引き下げる速度は、エンジン作動停止状態においてエンジン回転速度ＮＥが自然に低下するする場合に比較して、エンジン回転速度ＮＥがより速やかに低下し、所定値以上の車両振動の発生が抑制されるような速度に予め実験等により設定されている。
【００８９】
ここで、シフトポジション判定手段１１０によってシフトレバー４９が「Ｎ」ポジション或いは「Ｐ」ポジションに位置された状態と判定されると、自動変速部２０が動力伝達遮断状態、すなわち差動部１１の出力軸として機能する差動部リングギヤＲ０と駆動輪３８との連結が遮断された状態となる。これにより、差動部リングギヤＲ０の慣性力（イナーシャ）は、エンジン８に連結されている差動部キャリヤＣＡ０の慣性力（イナーシャ）よりも小さくなる。この状態で第１電動機Ｍ１の回転速度ＮＭ１を引き下げてエンジン回転速度ＮＥを低下させると、差動部リングギヤＲ０の回転速度上昇率が差動部キャリヤＣＡ０の回転速度上昇率よりも大きくため、差動部１１（動力分配機構１６）の差動作用によって差動部リングギヤＲ０の回転速度が引き上がり高回転状態となる可能性があった。すなわち、差動部リングギヤＲ０の慣性力が差動部キャリヤＣＡ０の慣性力よりも小さいため、差動部リングギヤＲ０が第１電動機Ｍ１の駆動トルクの影響を受けて、回転速度が引き上げられる可能性があった。
【００９０】
そこで、エンジン停止制御手段１１４は、自動変速部２０が動力伝達遮断状態でエンジン停止制御を実行する場合、その差動部リングギヤＲ０の回転速度を引き上げない制御を実行する。以下、具体的な制御方法を説明する。
【００９１】
エンジン停止制御手段１１４は、シフトポジション判定手段１１０に基づいて、自動変速部２０がニュートラル状態と判定されると共に、エンジン停止条件成立判定手段１１２に基づいてエンジン８を作動停止させるための条件が成立すると、エンジン８への供給燃料を停止する所謂フューエルカットを実行すると共に、切換クラッチＣ０を係合（作動）或いはスリップ係合させる指令を差動状態切換制御手段５０に出力する。切換クラッチＣ０が係合（またはスリップ係合）されると、差動部サンギヤＳ０と差動部キャリヤＣＡ０とが直結状態（または滑り状態）となり、差動部遊星歯車装置２４が一体回転（または滑りを伴う略一体回転）で回転させられる。なお、本実施例の切換クラッチＣ０が、本発明のロック機構に対応している。
【００９２】
切換クラッチＣ０が係合或いはスリップ係合されると、差動機構として機能する差動部遊星歯車装置２４（差動部１１）の各回転要素が一体回転または滑りを伴いながら略一体回転させられる。言い換えれば、切換クラッチＣ０が係合或いはスリップ係合されると、差動部遊星歯車装置２４の差動作用が制限され、差動部遊星歯車装置２４の各回転要素（差動部サンギヤＳ０、差動部キャリヤＣＡ０、差動部リングギヤＲ０）が同回転速度（または略同回転速度）で回転させられる。
【００９３】
また、エンジン停止制御手段１１４は、この状態で第１電動機Ｍ１にエンジン回転速度ＮＥを低下させる方向の駆動トルクを作用させる。これにより、第１電動機Ｍ１の回転速度ＮＭ１が引き下げされると、第１電動機Ｍ１に動力伝達可能に連結された差動部遊星歯車装置２４の差動部サンギヤＳ０の回転速度が引き下げられると共に、一体回転（または略一体回転）とされた差動部キャリヤＣＡ０および差動部リングギヤＲ０も同様の回転速度で引き下げられる。すなわち、第１電動機Ｍ１の運転状態を制御することにより、差動部キャリヤＣＡ０に連結されたエンジン回転速度ＮＥを速やかに低下させることが可能となる。さらに、差動部遊星歯車装置２４の差動作用が制限されていることにより、差動部リングギヤＲ０の回転速度の上昇が阻止される。
【００９４】
また、エンジン停止制御手段１１４は、切換クラッチＣ０の作動に代えて、切換ブレーキＢ０の作動、具体的には第１電動機Ｍ１に連結された差動部サンギヤＳ０を固定（回転停止）もしくは滑り状態とすることで、差動部リングギヤＲ０が高回転されることなく、エンジン８を停止させることができる。切換ブレーキＢ０が作動されると、差動部サンギヤＳ０が固定されるため、エンジン回転速度ＮＥおよび差動部遊星歯車装置２４のギヤ比ρ０に基づいて差動部リングギヤＲ０の回転速度が決定される。なお、このときの差動部リングギヤＲ０の回転速度は、高回転化されることはなく、エンジン回転速度ＮＥの低下に伴い、差動部リングギヤＲ０の回転速度も低下されることとなる。なお、このときのエンジン回転速度ＮＥの低下は、第１電動機Ｍ１による差動部サンギヤＳ０の回転速度低下が不可能であるため、フューエルカットなどエンジン８自体による回転低下となる。以下、切換クラッチＣ０の作動を中心に記載するが、切換ブレーキＢ０の作動に置き換えることができる。これより、切換ブレーキＢ０も本発明のロック機構に対応することとなる。
【００９５】
回転速度差判定手段１１６は、エンジン回転速度ＮＥと第２電動機Ｍ２の回転速度ＮＭ２すなわち差動部リングギヤＲ０の回転速度との差を算出し、その回転速度差が所定範囲内にあるか否かを判定する。エンジン回転速度ＮＥすなわち差動部キャリヤＣＡ０の回転速度と差動部リングギヤＲ０の回転速度との回転速度差が大きいと、切換クラッチＣ０を係合させる際にその切換クラッチＣ０にかかる負荷が大きくなり、耐久性が低下する可能性がある。そこで、回転速度差判定手段１１６によってこれらの回転速度差を算出し、その回転速度差が所定範囲を超える場合、差動状態切換制御手段５０に切換クラッチＣ０の係合を制限する指令を出力する。なお、前記回転速度差の所定範囲は、予め実験等によって求められ、切換クラッチＣ０の耐久性が低下しない程度の回転速度差範囲に設定されている。言い換えれば、回転速度差判定手段１１６によってエンジン回転速度ＮＥと差動部リングギヤＲ０との回転速度差が所定範囲内であると判定されると、エンジン停止制御手段１１４に切換クラッチＣ０の作動を許可する指令を出力する。
【００９６】
さらに、回転速度差判定手段１１６は、第２電動機Ｍ２の回転速度ＮＭ２すなわち差動部リングギヤＲ０の回転速度が所定値以上であるか否かを判定し、差動部リングギヤＲ０の回転速度が所定値以上であれば、エンジン停止制御手段１１４に切換クラッチＣ０の作動を許可する指令を出力することもできる。なお、前記所定値は予め実験などによって設定され、比較的低回転速度に設定されている。例えば、差動部リングギヤＲ０の回転速度が所定値未満であれば、切換クラッチＣ０を作動させなくとも、差動部リングギヤＲ０の回転速度の上昇が所定の回転速度までに抑制されて高回転化が回避される。このようなときは、切換クラッチＣ０を作動させないことで、エンジン停止制御手段１１４による制御の負担が低減される。
【００９７】
エンジン停止判定手段１１８は、エンジン８が完全に停止したか否かを判定する。具体的には、例えばエンジン回転速度ＮＥを検出し、その回転速度が零となったか否かを判定する。そして、エンジン停止制御手段１１８によってエンジン８の停止が判定されると、エンジン停止制御手段１１４は、例えば次の第２電動機Ｍ２によるモータ始動に備えて、切換クラッチＣ０を解放する指令を差動状態切換制御手段５０に出力する。
【００９８】
図９は、電子制御装置４０の制御作動の要部すなわち自動変速部２０がニュートラル状態（動力伝達遮断状態）にあっても、エンジン８を速やかに停止させて車両の振動の発生を抑制すると共に、差動部リングギヤＲ０の高回転化を防止することができる制御作動を説明するフローチャートである。また、図１０は、図９のフローチャートに示す制御作動の一例であって、例えば自動変速部２０が動力伝達遮断状態においてエンジン８が停止させられたときに差動部リングギヤＲ０の高回転化が抑制される制御作動を説明するタイムチャートである。
【００９９】
先ず、シフトポジション判定手段１１０に対応するＳＡ１において、シフトレバー４９が非駆動ポジションである「Ｎ」ポジションまたは「Ｐ」ポジションに位置されているか、或いは、シフトレバー４９が「Ｎ」ポジションまたは「Ｐ」ポジションへ操作されたか否かが判定される。ＳＡ１が否定されると、ＳＡ８において、変速制御などの他の制御が実行され本ルーチンが終了させられる。
【０１００】
ＳＡ１が肯定されると、エンジン停止条件成立判定手段１１２に対応するＳＡ２において、エンジン８への燃料供給を停止してエンジン８を作動停止するための条件が成立したか否かが判定される。ＳＡ２が否定されると、ＳＡ８において、その他の制御が実行される。一方、ＳＡ２が肯定されると、エンジン停止制御手段１１４に対応するＳＡ３において、エンジン停止制御が開始される。図１０のｔ１時点は、エンジン８の作動停止条件が成立し、エンジン停止制御手段１１４によるフューエルカットを開始させると共に、第１電動機Ｍ１にエンジン回転速度ＮＥを低下させる方向のトルク（負トルク）を作用させる指令がエンジン出力制御装置４３およびハイブリッド制御手段５２に出力されたことを示している。これに伴い、エンジン回転速度ＮＥが低下させられ、一方、自動変速部２０が動力伝達遮断されていることにより差動部リングギヤＲ０の慣性力（イナーシャ）が小さいことから、第１電動機Ｍ１の負トルクによって差動部リングギヤＲ０の回転速度が上昇させられる。なお、ｔ１時点乃至ｔ２時点の間は、実際には非常に短い時間であるため、実際の差動部リングギヤＲ０の回転速度上昇は僅かなものとなる。
【０１０１】
そして、回転速度差判定手段１１６に対応するＳＡ４において、エンジン８（差動部キャリヤＣＡ０）の回転速度ＮＥと第２電動機Ｍ２（差動部リングギヤＲ０）の回転速度ＮＭ２との回転速度差を算出し、その回転速度差が所定値範囲内にあるか否かが判定される。なお、さらに差動部リングギヤＲ０の回転速度が所定値以上であるか否かを判定して、所定値以上であればＳＡ４が肯定される判定を追加することもできる。ＳＡ４が否定される、すなわち回転速度差が所定値範囲を超える場合、切換クラッチＣ０を保護するため、切換クラッチＣ０の係合が制限される。一方、ＳＡ４が肯定されると、エンジン停止制御手段１１４に対応するＳＡ５において、差動状態切換制御手段５０に切換クラッチＣ０を係合させる或いはスリップ係合させる指令を出力することで、切換クラッチＣ０の係合（スリップ係合）が開始される。ｔ２時点は、切換クラッチＣ０が開始された状態を示している。ｔ２時点において、実線で示すように切換クラッチＣ０を係合させるためのＣ０係合圧が増圧されるに伴い、切換クラッチＣ０が係合され始め、エンジン回転速度ＮＥ、第１電動機Ｍ１の回転速度ＮＭ１、および差動部リングギヤＲ０の回転速度（第２電動機Ｍ２の回転速度ＮＭ２）が等しく（または略等しく）なり、第１電動機Ｍ１による回転速度の引き下げによって、これらの回転要素の回転速度が共に引き下げられる。なお、切換クラッチＣ０を係合させない場合、第１電動機Ｍ１に負トルクを作用させて第１電動機Ｍ１の回転速度ＮＭ１を引き下げると、破線で示すように差動部リングギヤＲ０（第２電動機Ｍ２）の回転速度が差動作用によって更に上昇して高回転速度となる。また、エンジン回転速度低下も破線に示すように遅くなり、動力伝達系の共振が生じるエンジン回転速度領域の通過時間も長くなるため、動力伝達系の共振も大きくなる。
【０１０２】
次いで、エンジン停止判定手段１１８に対応するＳＡ６において、エンジン８が完全に停止したか否かが判定される。ＳＡ６が否定されると、ＳＡ３に戻りエンジン８が完全に停止されるまでエンジン停止制御手段１１４によるエンジン停止制御が繰り返し実行される。ＳＡ６が肯定されると、エンジン停止制御手段１１４に対応するＳＡ７において、例えば次のモータ走行などに備えて、エンジン８が完全に停止した状態で切換クラッチＣ０が解放される。ｔ３時点は、エンジン停止制御手段１１４により、エンジン８、第１電動機Ｍ１、および第２電動機Ｍ２（差動部リングギヤＲ０）の回転速度が共に零となった状態を示している。このとき、第１電動機Ｍ１の負トルクも零とされ、切換クラッチＣ０の係合圧も減圧されて切換クラッチＣ０が解放される。
【０１０３】
上述のように、本実施例によれば、自動変速部２０がニュートラル状態でエンジン停止制御が実行されるとき、切換クラッチＣ０を作動させるため、差動部遊星歯車装置２４のエンジン８に連結された差動部キャリヤＣＡ０および自動変速部２０に連結された差動部リングギヤＲ０が一体回転または滑り状態が保持されつつ略一体回転させられる。これにより、エンジン停止制御に伴い、差動部遊星歯車装置２４の各回転要素は一体回転または略一体回転された状態で回転速度が低下させられる。このように一体回転または略一体回転させられることで、特にニュートラル状態では高回転化され易い自動変速部２０に連結された差動部リングギヤＲ０の高回転化が防止される。このように高回転化が防止されるため、差動部遊星歯車装置２４を支持する軸受やシール部品等の耐久性の低下が抑制される。
【０１０４】
また、本実施例によれば、前記動力伝達経路には、自動変速部２０が備えられており、クラッチＣおよびブレーキＢなどの係合装置はその自動変速部２０の一部であるため、クラッチＣおよびブレーキＢが非係合状態となると自動変速部２０がニュートラル状態となり、駆動輪３８への動力伝達を遮断することができる。
【０１０５】
また、本実施例によれば、自動変速部２０のニュートラル状態でエンジン停止制御時は、切換クラッチＣ０を作動させると共に、差動部遊星歯車装置２４の差動部サンギヤＳ０に動力伝達可能に連結された第１電動機Ｍ１にエンジン回転速度ＮＥを低下させる方向の駆動トルクを作用させるので、エンジン回転速度ＮＥを速やかに低下させることができる。ここで、切換クラッチＣ０が作動されない状態で第１電動機Ｍ１をエンジン回転速度ＮＥを低下させる方向に駆動させると、自動変速部２０に連結された差動部リングギヤＲ０は自動変速部２０がニュートラル状態となっているためにエンジン８に連結された差動部キャリヤＣＡ０よりも慣性力（イナーシャ）が小さくなっているため、第１電動機Ｍ１の駆動トルクの勢いで差動部遊星歯車装置２４の差動作用により自動変速部２０に連結された差動部リングギヤＲ０の回転速度が上昇する。言い換えれば、エンジン回転速度ＮＥを低下させるための第１電動機Ｍ１の駆動トルクの一部が自動変速部２０に連結された差動部リングギヤＲ０の回転速度を上昇させることに使われる。これに対して、切換クラッチＣ０を作動させることで、差動部遊星歯車装置２４の各回転要素が一体回転化或いは略一体回転化されるため、第１電動機Ｍ１の全ての駆動トルクを、エンジン回転速度ＮＥを低下させることに作用させることができる。結果として、第１電動機Ｍ１によってエンジン回転速度ＮＥが速やかに低下されると共に、自動変速部２０に連結された差動部リングギヤＲ０の高回転化が防止される。
【０１０６】
また、本実施例によれば、切換クラッチＣ０は、エンジン８と差動部遊星歯車装置２４の差動部リングギヤＲ０との回転速度差が所定範囲内であれば作動されるため、回転速度差が大きい状態で切換クラッチＣ０が作動させられることが回避される。回転速度差が大きい状態で切換クラッチＣ０を作動させると、その切換クラッチＣ０にかけられる負荷が大きくなるために、切換クラッチＣ０の耐久性が低下する可能性がある。そこで、回転速度差が大きい状態では切換クラッチＣ０を作動させないことで、切換クラッチＣ０の耐久性低下を抑制することができる。
【０１０７】
また、本実施例によれば、切換クラッチＣ０は、差動部リングギヤＲ０の回転速度が所定値以上であれば作動するため、差動部リングギヤＲ０の回転速度が比較的低回転速度であれば、切換クラッチＣ０は作動されない。この差動部リングギヤＲ０の回転速度が比較的低回転速度であれば、切換クラッチＣ０を作動させなくとも、差動部リングギヤＲ０の回転速度が上昇しても許容回転速度範囲内となる。これより、差動部リングギヤＲ０の回転速度が所定値未満であれば本制御を実行しないことで、制御の負担を低減することができる。
【０１０８】
また、本実施例によれば、差動制限は、第１電動機Ｍ１に連結された差動部サンギヤＳ０の回転を固定もしくは滑り状態とする（切換ブレーキＢ０の作動）ことにより行うため、第１電動機Ｍ１に連結された差動部サンギヤＳ０の回転速度およびエンジン８に連結された差動部キャリヤＣＡ０の回転速度に基づいて、差動機構の差動作用により、差動部リングギヤＲ０の高回転化を抑制することができる。
【０１０９】
また、本実施例によれば前記差動制限は、少なくとも２つの回転要素を直結もしくは滑り状態とする（切換クラッチＣ０の作動）ことにより行うため、差動機構の各回転要素が一体的に回転させられ、所定の回転要素の高回転化を抑制することができる。
【０１１０】
また、本実施例によれば、自動変速部２０は自動変速するため、車両の走行状態に応じて好適に自動変速され、好適な駆動力を得ることができる。
【０１１１】
また、本実施例によれば、自動変速部２０は有段変速機であるため、変速比が段階的に変化され、車両の走行状態に応じて好適に変速される。
【０１１２】
また、本実施例によれば、差動部１１は、第１電動機Ｍ１および第２電動機Ｍ２と差動部遊星歯車装置２４により構成されるため、第１および第２電動機Ｍ１、Ｍ２を制御することにより、差動部遊星歯車装置２４の回転要素の回転速度を好適に制御することができる。
【０１１３】
また、本実施例によれば、差動部１１は、第１電動機Ｍ１の運転状態が制御されることにより、無段変速機構として作動するので、自動変速部２０の変速比と合わせて幅広い変速比を無段階的に得ることができる。
【０１１４】
以上、本発明の実施例を図面に基づいて詳細に説明したが、本発明はその他の態様においても適用される。
【０１１５】
例えば、前述の実施例では、切換クラッチＣ０は差動部サンギヤＳ０と差動部キャリヤＣＡ０との間に配設されて選択的に直結または滑り状態とするものであったが、切換クラッチＣ０の位置はこれに限定されるものではなく、例えば差動部サンギヤＳ０と差動部リングギヤＲ０との間など、差動部サンギヤＳ０、差動部キャリヤＣＡ０、および差動部リングギヤＲ０の少なくとも２つの回転要素を直結または滑り状態とする構成であれば本発明を適用することができる。
【０１１６】
また、前述の実施例では、第２電動機Ｍ２は、伝達部材１８に直接連結されているが、第２電動機Ｍ２の連結位置はそれに限定されず、差動部１１から駆動輪３４の間の動力伝達経路に直接的或いは変速機等を介して間接的に連結されていてもよい。
【０１１７】
また、前述の実施例では、差動部１１はそのギヤ比γ０が最小値γ０minから最大値γ０maxまで連続的に変化させられる電気的な無段変速機として機能するものであったが、たとえば差動部１１の変速比γ０を連続的ではなく差動作用を利用して敢えて段階的に変化させるものであっても本発明は適用することができる。
【０１１８】
また、前述の実施例の動力分配機構１６では、第１キャリヤＣＡ１がエンジン８に連結され、第１サンギヤＳ１が第１電動機Ｍ１に連結され、第１リングギヤＲ１が伝達部材１８に連結されていたが、それらの連結関係は、必ずしもそれに限定されるものではなく、エンジン８、第１電動機Ｍ１、伝達部材１８は、第１遊星歯車装置２４の３要素ＣＡ１、Ｓ１、Ｒ１のうちのいずれと連結されていても差し支えない。
【０１１９】
また、前述の実施例では、エンジン８は入力軸１４と直結されていたが、たとえばギヤ、ベルト等を介して作動的に連結されておればよく、共通の軸心上に配置される必要もない。
【０１２０】
また、前述の実施例では、第１電動機Ｍ１および第２電動機Ｍ２は、入力軸１４に同心に配置されて第１電動機Ｍ１は第１サンギヤＳ１に連結され第２電動機Ｍ２は伝達部材１８に連結されていたが、必ずしもそのように配置される必要はなく、たとえばギヤ、ベルト、減速機等を介して作動的に第１電動機Ｍ１は第１サンギヤＳ１に連結され、第２電動機Ｍ２は伝達部材１８に連結されていてもよい。
【０１２１】
また、前述の実施例では、第１クラッチＣ１や第２クラッチＣ２などの油圧式摩擦係合装置は、パウダー（磁紛）クラッチ、電磁クラッチ、噛合型のドグクラッチなどの磁紛式、電磁式、機械式係合装置から構成されていてもよい。たとえば電磁クラッチであるような場合には、油圧制御回路４２は油路を切り換える弁装置ではなく電磁クラッチへの電気的な指令信号回路を切り換えるスイッチング装置や電磁切換装置等により構成される。
【０１２２】
また、前述の実施例では、自動変速部２０は伝達部材１８を介して差動部１１と直列に連結されていたが、入力軸１４と平行にカウンタ軸が設けられてそのカウンタ軸上に同心に自動変速部２０が配列されていてもよい。この場合には、差動部１１と自動変速部２０とは、たとえば伝達部材１８としてカウンタギヤ対、スプロケットおよびチェーンで構成される１組の伝達部材などを介して動力伝達可能に連結される。また、自動変速部２０の構成は一例であり、その構成は特に限定されるものではなく自由に変更することができる。
【０１２３】
また、前述の実施例の差動機構としての差動部遊星歯車装置２４は、たとえばエンジンによって回転駆動されるピニオンと、そのピニオンに噛み合う一対のかさ歯車が第１電動機Ｍ１および伝達部材１８（第２電動機Ｍ２）に作動的に連結された差動歯車装置であってもよい。
【０１２４】
また、前述の実施例の動力分配機構１６は、１組の遊星歯車装置から構成されていたが２以上の遊星歯車装置から構成されて、非差動状態（定変速状態）では３段以上の変速機として機能するものであってもよい。また、その遊星歯車装置はシングルピニオン型に限られたものではなくダブルピニオン型の遊星歯車装置であってもよい。また、このような２以上の遊星歯車装置から構成された場合においても、これらの遊星歯車装置の各回転要素にエンジン８、第１および第２電動機Ｍ１、Ｍ２、伝達部材１８が動力伝達可能に連結され、さらに遊星歯車装置の各回転要素に接続されたクラッチＣおよびブレーキＢの制御により有段変速と無段変速とが切り換えられるような構成であっても構わない。
【０１２５】
また、前述の実施例ではエンジン８と差動部１１とが直接連結されているが、必ずしも直接連結される必要はなく、エンジン８と差動部１１との間にクラッチを介して連結されていてもよい。
【０１２６】
また、前述の実施例では、差動部１１と自動変速部２０とが直列接続されたような構成となっているが、特にこのような構成に限定されず、変速機構１０全体として電気式差動を行う機能と、変速機構１０全体として電気式差動による変速とは異なる原理で変速を行う機能と、を備えた構成であれば本発明は適用可能であり、機械的に独立している必要はない。また、これらの配設位置や配設順序も特に限定されず、自由に配設することができる。また、変速機構において、電気式差動を行う機能と変速を行う機能とを有するものであれば、その構成が一部重複する、或いは全てが共通するものであっても、本発明を適用することができる。
【０１２７】
なお、上述したのはあくまでも一実施形態であり、本発明は当業者の知識に基づいて種々の変更、改良を加えた態様で実施することができる。
【図面の簡単な説明】
【０１２８】
【図１】本発明の一実施例であるハイブリッド車両の駆動装置の構成を説明する骨子図である。
【図２】図１の実施例のハイブリッド車両の駆動装置が無段或いは有段変速作動させられる場合における変速作動とそれに用いられる油圧式摩擦係合装置の作動の組み合わせとの関係を説明する作動図表である。
【図３】図１の実施例のハイブリッド車両の駆動装置が有段変速作動させられる場合における各ギヤ段の相対的回転速度を説明する共線図である。
【図４】図１の実施例の駆動装置に設けられた電子制御装置の入出力信号を説明する図である。
【図５】複数種類のシフトポジションＰＳＨを人為的操作により切り換える切換装置としてのシフト操作装置の一例を示す図である。
【図６】図４の電子制御装置の制御作動の要部を説明する機能ブロック線図である。
【図７】車速と出力トルクとをパラメータとする同じ二次元座標に構成された、自動変速部の変速判断の基となる予め記憶された変速線図の一例と、変速機構の変速状態の切換判断の基となる予め記憶された切換線図の一例と、エンジン走行とモータ走行とを切り換えるためのエンジン走行領域とモータ走行領域との境界線を有する予め記憶された駆動力源切換線図の一例とを示す図であって、それぞれの関係を示す図でもある。
【図８】無段制御領域と有段制御領域との境界線を有する予め記憶された関係を示す図であって、図７の破線に示す無段制御領域と有段制御領域との境界をマップ化するための概念図でもある。
【図９】電子制御装置の制御作動の要部すなわち自動変速部がニュートラル状態にあっても、エンジンを速やかに停止させて車両の振動の発生を抑制すると共に、差動部リングギヤの高回転化を防止することができる制御作動を説明するフローチャートである。
【図１０】図９のフローチャートに示す制御作動の一例であって、例えば自動変速部がニュートラル状態においてエンジンが停止させられたときに差動部リングギヤの高回転化が抑制される制御作動を説明するタイムチャートである。
【符号の説明】
【０１２９】
８：エンジン  １１：差動部（電気式差動部）  １４：入力軸  １８：伝達部材（出力軸）  ２０：自動変速部（変速部）  ２４：差動部遊星歯車装置（差動機構、遊星歯車装置）  ３８：駆動輪  １１４：エンジン停止制御手段  Ｃ０：切換クラッチ（ロック機構）  Ｂ０：切換ブレーキ（ロック機構）  Ｍ１：第１電動機
【図１】
0004957475.tif 000002
【図２】
0004957475.tif 000003
【図３】
0004957475.tif 000004
【図４】
0004957475.tif 000005
【図５】
0004957475.tif 000006
【図６】
0004957475.tif 000007
【図７】
0004957475.tif 000008
【図８】
0004957475.tif 000009
【図９】
0004957475.tif 000010
【図１０】
0004957475.tif 000011